(57)【要約】【課題】  簡単な構成で、表示の自由度があり品質の良いカメラのファインダ装置を実現する。【解決手段】  カメラのファインダ内表示用の透過型液晶表示板の上下の面の片面に、拡散効果を持つ拡散シートを接着し、対向するもう片面に偏光効果を持つフレネルレンズシートを接着することにより、透過型の液晶表示板自体をカメラの焦点板とすることができる。【選択図】  図１
2006215329.tif 000002
【特許請求の範囲】
【請求項１】
表示層を少なくとも２枚の透明板にて挟持する構造の透過型表示素子で、ファインダ視野内に表示するカメラのファインダ装置において、
前記透過型表示素子はカメラの撮影レンズから入射した被写体像をファインダに導くための反射部材と、被写体像を正立像に形成し接眼レンズに導く正立像形成用光学部材との間の光路内に配置され、前記２枚の透明板の内一方の表示層に面していない面に拡散効果のあるシートを接着し、対向するもう一方の透明板の表示層に面していない面にフレネルレンズを形成したシートを接着したことを特徴とするカメラのファインダ装置。
【請求項２】
表示層を少なくとも２枚の透明板にて挟持する構造の透過型表示素子で、ファインダ視野内に表示するカメラのファインダ装置において、
該透過型表示素子はカメラの撮影レンズから入射した被写体像をファインダに導くための反射部材と、被写体像を正立像に形成し接眼レンズに導く正立像形成用光学部材との間の光路内に配置され、前記２枚の透明板の内一方の表示層に面していない面に拡散効果のある形状を形成し、対向するもう一方の透明板の表示層に面していない面にフレネルレンズを形成したことを特徴とするカメラのファインダ装置。
【請求項３】
前記透過型表示素子は、液晶表示素子であることを特徴とする請求項１または２に記載のカメラのファインダ装置。
【請求項４】
前記透過型表示素子は、ＥＬ表示素子であることを特徴とする請求項１または２に記載のカメラのファインダ装置。
【発明の詳細な説明】
【技術分野】
【０００１】
本発明はカメラのファインダ装置、更に詳しくはファインダ内表示装置に用いる透過型表示素子の改良に関する。
【背景技術】
【０００２】
カメラのファインダ内表示には、大きく分けるとカメラの視野内に表示する場合と、カメラの視野外に表示する場合とが有る。カメラの視野内に表示する主な情報としては、測距点の位置や測距範囲、合焦状態、測光範囲などがある。視野内の表示では、撮影の妨げにならないよう常に表示させるものは必要最小限の情報の表示に抑え、必要に応じて追加の表示を行なうことが提案されている。例えば従来の一眼レフカメラでは、視野内の表示としてファインダ光路内に配置されている焦点板に刻線や微小なプリズムで測距表示枠を形成して表示させるものがある。また、合焦した測距点を表示させるために、前述の焦点板に形成された測距表示枠或いは、焦点板近傍に配置された、測距枠が形成された透明な板部材に対しＬＥＤなどで照明させて測距枠を光らせる（いわゆるスーパーインポーズ表示）ものも提案されている。
【０００３】
また、特許文献１に記載のファインダには、視野内表示用に透過型の液晶表示板を用いており、該表示板によって、測距点の表示、合焦表示、更にアスペクト比の変更に応じて、Ｈ、Ｃ、Ｐの３つのサイズのファインダ表示領域の変更などを行なっている。図８は上記カメラの概略の構成図であり、図９はファインダ内表示を説明するための図である。これらの図において、１は撮影レンズ、２は撮影レンズ１から導かれた被写体光をファインダ系に導くためのメインミラーであり、測距（以下ＡＦ）系にも光束を分割するために半透過ミラーとなっている。８はメインミラー２から反射した被写体光を結像するための焦点板であり、該焦点板８の上面には拡散特性のあるマット面が、下面側には撮影レンズ１の周辺の光束を集光するために輪帯構造を有したフレネルレンズが形成されている。９はＡＦ合焦マークや不図示のアスペクト比切換スイッチの操作に連動して、アスペクト範囲表示をファインダー視野内にスーパーインポーズ表示する透過型液晶としてのゲストホスト型液晶である。９ａ、９ｂはアスペクト範囲表示を偏光するためのマスク部、９ｃ、９ｄ、９ｅは不図示の視線検出装置を用いて撮影者の視線によって、アスペクト比を変更するための指標である。９ｆ−１、９ｆ−２、９ｆ−３は測距点表示である。４は前記焦点板８上の被写体像を正立像に変換するための正立像形成用光学部材であるペンタダハプリズム、５は被写体像をアイポイント（撮影者の肉眼）に結像する接眼レンズである。
【０００４】
以上述べたように、視野内表示に透過型の液晶表示板などの表示素子を用いることで、表示の自由度を増やすことを比較的容易に実現することができる。
【０００５】
また、透過型の表示素子としては、現在液晶（以下ＬＣＤ）表示板、及びエレクトロルミネッセンス（以下ＥＬ）表示素子が主流となっている。ＬＣＤの見やすさを向上する方法としては、ＬＣＤの観察面側にマイクロレンズアレイ層と偏光素子層を配置して、視野角を広げる提案がなされている（特許文献２参照）。
【特許文献１】特開平１１−２１８８３４号公報
【特許文献２】特開平０６−０２７４５３号公報
【発明の開示】
【発明が解決しようとする課題】
【０００６】
前述した従来のスーパーインポーズ表示では、ＬＥＤやＬＥＤの光の方向を制御するプリズムなどの部品が必要で、部品を配置するスペースがカメラの小型化の妨げとなっている。また、光を焦点板や別の光学部材に設けられた刻線や微小プリズムに当てて、その反射光を撮影者が観察するので、表示する形状や位置、大きさなどに制約がある。また、ＬＥＤやプリズムの高い位置精度も要求され、こうした位置調整が必要な場合は調整のコストも掛かってしまう。
【０００７】
視野内表示用に透過型のＬＣＤなどの表示素子を用いた場合には、表示の自由度は増すが、被写体像を結像させる焦点板と表示素子が、ファインダ光軸上で前後して配置されるために、焦点板上に結像される被写体像と表示素子の表示の視度が異なり、被写体像と同等の見えにするのは困難である。また、最低焦点板と透過型の表示素子の２部品が必要となる。
【０００８】
本発明の目的は、部品スペースを取らず、表示の自由度が有り、表示の見えの品位も良いファインダ内表示用の透過型表示素子を提供することにある。
【課題を解決するための手段】
【０００９】
本発明は、上記課題を解消するために、表示層を少なくとも２枚の透明板にて挟持する構造の透過型表示素子で、ファインダ視野内に表示するカメラのファインダ装置において、
前記透過型表示素子はカメラの撮影レンズから入射した被写体像をファインダに導くための反射部材と、被写体像を正立像に形成し接眼レンズに導く正立像形成用光学部材との間の光路内に配置され、前記２枚の透明板の内一方の表示層に面していない面に拡散効果のあるシートを接着し、対向するもう一方の透明板の表示層に面していない面にフレネルレンズを形成したシートを接着したことを特徴とする。
【発明の効果】
【００１０】
本発明によれば、透過型の表示素子の表示層を挟む２枚の透明板のそれぞれに、拡散効果のある形状を成形したシートとフレネルレンズを成形したシートを接着若しくは、２枚の透明板の一方に拡散効果のある形状を形成し、対向するもう一方の透明板にフレネルレンズ形状を形成することにより、透過型の表示素子自体を焦点板として機能させることが可能となる。これにより、ＬＥＤ等の照明によるスーパーインポーズ表示よりも、設計自由度のある表示が可能で部品点数も減り、ＬＥＤの位置調整なども必要なくなる。
【００１１】
また、透過型の表示素子自体が焦点板となるため、従来の視野内表示用に透過型のＬＣＤ等の表示素子を用いた場合よりも、被写体結像面と表示面とのファインダ光軸上の距離を短くすることが可能となり、従って被写体像と表示の像との視度差が少なくてすむため、ファインダを覗いた時に違和感のない品位の良いファインダ内表示が可能となる。さらに、部品も２部品が１部品となり、スペース効率が良くなる。
【発明を実施するための最良の形態】
【００１２】
（実施例１）
本発明の一実施例を図１乃至図６を用いて説明する。図１は本実施例の一眼レフカメラの要部を示す構成図である。同図において、１は撮影レンズ、２は撮影レンズ１から導かれた被写体光をファインダ系に導くためのメインミラーであり、ＡＦ系にも光束を分割するために半透過ミラーとなっている。３はメインミラー２から反射した被写体光を結像するための焦点板であるが、従来例と異なるのは、焦点板自体が表示素子の機能を有することであり詳細は後述する。４は焦点板３上の被写体像を正立像にするための正立像形成用光学部材であるペンタダハプリズム、５は被写体像をアイポイントに結像させる接眼レンズである。６はメインミラー２を通過した光束を後述のＡＦ装置へ導くための全反射ミラーであるサブミラー、７は被写体像のデフォーカス量に応じて撮影レンズ１を合焦させるためのＡＦ装置である。
【００１３】
図２（ａ）は前述の構成のカメラに具備される焦点板３の断面図である。本実施例で使用する透過型の表示素子はＬＣＤ表示板を例に挙げて説明するが、他の透過型の表示素子、例えばＥＬ素子などに置き換えてもかまわない。中央の表示層３ｃは液晶層であり、該表示層３ｃをサンドイッチするようにそれぞれ一対の透明電極３ｄ−１、３ｄ−２及び偏光フィルム３ｅそして透明ガラス基板３ｆが配置される。ここまでの構成が一般的な透過型のＬＣＤ表示板の構成であるが、本実施例では更に観察面側の透明透明ガラス基板３ｆ表面に、拡散効果のあるシート板３ａを透明接着剤で接着すると共に、入射光側の透明透明ガラス基板３ｆの表面に、撮影レンズを通過した周辺光束を集光するためのフレネルレンズを形成したシート板３ｂを透明接着剤で接着している。該透明接着剤としては、現時点では屈折率１．５程度の紫外線硬化型の接着剤を用いるのが好適である。
【００１４】
本実施例の焦点板３では、シート板３ａとシート板３ｂを上下の透明ガラス基板３ｆ上に接着しているが、本発明では透明ガラス基板３ｆは必須の構成要素ではなく、焦点板３を構成するための強度を持たせるため、及び電極のコネクタ部（図示せず）を構成するために透明ガラス基板３ｆを用いている。従って、例えば実施例では上下２枚の透明ガラス基板を用いているが、下側の透明ガラス基板を取り除いて、偏光板３ｅに直接シート板３ｂを接着したり、逆に上側の透明ガラス基板を取り除いて、偏光板３ｅに直接シート板３ａを貼り付けても良い。更には、上下２枚の透明ガラス基板３ｆを取り除いても、偏光板３ｅのみで強度的に問題なく、コネクタも構成できる場合は、透明ガラス基板無しで、直接偏光板３ｅにシート板３ａ、３ｂを貼り付けてもかまわない。
【００１５】
（実施例２）
図２（ｂ）は表示素子を有機ＥＬ表示素子にした場合の構成の一例を断面図にしたものである。発光層（表示層）３１ｈはポリパラフェニレンビニレン（ＰＰＶ）やポリアルキルチオフェン（ＰＡＴ）などの高分子有機材料、３１ｋはカソード（陰極）、３１ｉは電子輸送層、３１ｊは正孔輸送層、３１ｌはアノード（陽極）、これらの各層を透明材料で形成し、上下方向に透明ガラス基板３１ｆで挟み込んで、透明ガラス基板３１ｆ表面にそれぞれシート板３１ａ、及びシート板３１ｂを接着して、カメラの焦点板としたものである。また、最近では発光層に無機物を用いた無機ＥＬも開発されているので、この無機ＥＬを用いてもかまわない。
【００１６】
図３、図４はシート板３１ａの構造の一例を示す図で、図３は平面図、図４は断面図である。本実施例のシート板３１ａは多数のマイクロレンズ３１ａ−１を規則的に配列しており、通常カメラの焦点板に用いる場合には拡散特性と透過特性（明るさ）のバランスを取って、このマイクロレンズ３１ａ−１の半径を決めており一般的には２０〜６０μｍ程度である。また、シート板３１ａの表面形状は拡散特性があれば特に限定は無く、前記マイクロレンズ３１ａ−１の配列をランダムに配列しても良く、マイクロレンズの代わりに別の形状で形成してもかまわない。
【００１７】
図５、図６はシート板３１ｂの構造の一例を示す図で、図５は平面図、図６は断面図である。図５、図６のように輪帯状にプリズムが構成されており、外周部に近いほど偏光を強くして周辺の光束を集光している。シート板３１ａ及びシート板３１ｂの製造方法は特に限定しないが、現時点では、金型にマットやフレネル形状を形成し、透明な合成樹脂シート（例えばポリカーボネートやアクリルなど）に押付けて形状を転写するいわゆるコンプレッション成形が一般的である。シートの厚さも特に限定はしないが、あまり厚くすると本発明の目的の１つである部品スペースを取らないというメリットが少なくなってしまうため、極力薄くする方が望ましい。
【００１８】
以上のように、透明表示素子の上下の面に、拡散機能を有するシートとフレネルレンズを形成したシートを貼り付けることにより、透明表示素子自体をカメラの焦点板とすることが可能となり、ファインダ内表示と被写体像の視度差を極力少なくすることが可能で、表示品質が良く従来のＬＥＤ照明などによるスーパーインポーズ表示と比較して、表示の自由度が高く、部品点数、調整工数も削減可能である。
【００１９】
図７は、透明ガラス基板の代わりに、直接偏光シート１０ｄ上に拡散シート板１０ｂ、フレネルレンズシート板１０ｃを貼り付けたタイプの焦点板の断面図である。通常の透過型の液晶表示板では、前述のように表示層１０ａの上下面に透明電極（図示せず）、その外側に偏光層１０ｄ（偏光フィルム）を配置し、更にその外側にガラスやプラスチックでできた透明な板材を貼り付けている。これに対し、図７では前記透明な板材の代わりに、射出成形若しくはコンプレッション成形された拡散シート板１０ｂ及びフレネルレンズシート板１０ｃを偏光層１０ｄにそれぞれ貼り付けている。通常、表示層や電極層及び偏光層は非常に薄く、剛性が無いために、ガラス板やプラスチック板で、部品形状を保っている。そこでガラス板やプラスチック板の代わりに、成形された拡散板１０ｂ及びフレネルレンズ１０ｃを接着することで、部品点数を削減することが可能となる。
【００２０】
また、変形例として、表示層の片側は強度を確保するために成形された拡散シート板又はフレネルレンズシート板を接着し、対向するもう片側には、拡散シート又はフレネルレンズシートを貼り付けることで、より薄い表示機能付きの焦点板を得ることができる。
【図面の簡単な説明】
【００２１】
【図１】本実施例の一眼レフカメラの要部を示す構成図である。
【図２】（ａ）は本実施例の一眼レフカメラに具備される焦点板の断面図である。（ｂ）は本実施例の一眼レフカメラに具備される焦点板の別の形態の断面図である。
【図３】本実施例に用いられる拡散シートの平面図である。
【図４】図３の断面図である。
【図５】本実施例に用いられるフレネルレンズシートの平面図である。
【図６】図５の断面図である。
【図７】本実施例の一眼レフカメラに具備される焦点板の別の形態の断面図である。
【図８】従来の透過型液晶表示板を用いた一眼レフカメラの要部を示す構成図である。
【図９】従来の透過型液晶表示板を用いた一眼レフカメラのファインダ内表示を示す図である。
【符号の説明】
【００２２】
１  撮影レンズ
３、１０、３１  焦点板
３ａ、３１ａ  シート板
３ｂ、３１ｂ  シート板
１０ｂ  拡散シート板
１０ｃ  フレネルレンズシート板
【図１】
2006215329.tif 000003
【図２】
2006215329.tif 000004
【図３】
2006215329.tif 000005
【図４】
2006215329.tif 000006
【図５】
2006215329.tif 000007
【図６】
2006215329.tif 000008
【図７】
2006215329.tif 000009
【図８】
2006215329.tif 000010
【図９】
2006215329.tif 000011